(57)【要約】【課題】消費電力のより一層の削減を実現する。【解決手段】駆動装置（１１０）は、１以上の水平ライン毎の画素電極に対応して形成される複数の共通電極のうちの第１共通電極（１１、Ｚｋ−１）に、第１電圧（ＶＣＯＭＨ）及び第２電圧（ＶＣＯＭＬ）の一方を供給し、且つ第１共通電極の後段に隣接する第２共通電極（１１、Ｚｋ）に、第１電圧及び第２電圧の他方を供給する供給回路（１１１、１１２）と、所定期間毎に、第１共通電極及び第２共通電極に供給される電圧の夫々を、第１電圧から第２電圧へと又は第２電圧から第１電圧へと切り替える切替動作を行うと共に、該切替動作を複数の共通電極に対して順に行う切替回路（１１１、１１２）と、切替回路により切り替えられる電圧が第１共通電極及び第２共通電極に供給される前に、第１共通電極と第２共通電極とを電気的に相互に接続する制御回路（１１３）とを備える。【選択図】図７
2009134062.tif 000002
【特許請求の範囲】
【請求項１】
複数の画素電極と、１以上の水平ライン毎の画素電極に対応して形成される複数の共通電極と、前記複数の画素電極と前記複数の共通電極との間に印加される電界に応じて駆動される電気光学物質とを備える電気光学装置を駆動する駆動装置であって、
前記複数の共通電極のうちの第１共通電極に、第１電圧及び該第１電圧とは異なる第２電圧の一方を供給し、且つ前記複数の共通電極のうちの前記第１共通電極の後段に隣接する第２共通電極に、前記第１電圧及び前記第２電圧の他方を供給する供給回路と、
所定期間毎に、前記第１共通電極及び前記第２共通電極に供給される電圧の夫々を、前記第１電圧から前記第２電圧へと又は前記第２電圧から前記第１電圧へと切り替える切替動作を行うと共に、該切替動作を前記複数の共通電極に対して順に行う切替回路と、
前記切替回路により切り替えられる電圧が前記第１共通電極及び前記第２共通電極の少なくとも一方に供給される前に、前記第１共通電極と前記第２共通電極とを電気的に相互に接続する制御回路と
を備えることを特徴とする駆動装置。
【請求項２】
前記制御回路は、前記第１共通電極と前記第２共通電極とを電気的に相互に接続してから所定時間経過後に、前記第１共通電極と前記第２共通電極とを電気的に切り離すことを特徴とする請求項１に記載の駆動装置。
【請求項３】
前記電気光学装置は、画像信号が供給されるデータ線と前記複数の画素電極との間の電気的な接続を制御するための走査信号が順に供給される走査線を１以上の水平ライン毎に備えており、
前記制御回路は、前記複数の共通電極のうち前記第１共通電極の前段に隣接する第３共通電極と同じ水平ライン上に位置する前記走査線に供給される前記走査信号に応じたタイミングで、前記第１共通電極と前記第２共通電極とを電気的に相互に接続することを特徴とする請求項１又は２に記載の駆動装置。
【請求項４】
前記制御回路は、前記第３共通電極と同じ水平ライン上に位置する前記走査線に供給される前記走査信号が選択状態レベルとなっている間、前記第１共通電極と前記第２共通電極とを電気的に相互に接続することを特徴とする請求項３に記載の駆動装置。
【請求項５】
前記制御回路は、前記第３共通電極と同じ水平ライン上に位置する前記走査線に供給される前記走査信号が非選択状態レベルとなっている間、前記第１共通電極を前記第２共通電極から電気的に切り離すことを特徴とする請求項３又は４に記載の駆動装置。
【請求項６】
前記電気光学装置は、前記複数の画素電極及び前記複数の共通電極の夫々が形成される第１基板と、前記第１基板に対向するように配置される第２基板とを備えており、
前記電気光学物質は、前記第１基板及び前記第２基板の間に挟持されることを特徴とする請求項１から５のいずれか一項に記載の駆動装置。
【請求項７】
前記切替回路は、隣り合う２つの共通電極の組に１つずつ対応するように設けられており、
前記第１共通電極及び前記第２共通電極に対応する前記切替回路は、前記複数の共通電極のうち前記第１共通電極の前段に隣接する第３共通電極と同じ水平ライン上に位置する前記走査線に供給される前記走査信号に応じたタイミングで、前記供給回路から前記第１共通電極及び前記第２共通電極の夫々に供給される電圧を、前記第１電圧から前記第２電圧へと又は前記第２電圧から前記第１電圧へと切り替えることを特徴とする請求項１から６のいずれか一項に記載の駆動装置。
【請求項８】
請求項１から７のいずれか一項に記載の駆動装置を備えることを特徴とする電気光学装置。
【請求項９】
請求項８に記載の電気光学装置を備えることを特徴とする電子機器。
【発明の詳細な説明】
【技術分野】
【０００１】
本発明は、例えば液晶装置等の電気光学装置を駆動するための駆動装置、このような駆動装置を備える電気光学装置、及びこのような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における複数の画素が配列されてなる画素領域には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、画素領域の概ね全体に、複数の画素部に共通に共通電極（或いは、対向電極）がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
このような液晶装置においては、近年、液晶装置の低消費電力化を実現するために、共通電極を１水平ライン（１行）毎に分割する（例えば、走査線に平行な方向に沿って分割する）と共に、ある電位レベル（例えば、相対的にハイレベル）の電圧を同一行の共通電極に供給し、且つ異なる電位レベル（例えば、相対的にローレベル）の電圧を相隣接する行の共通電極に供給しつつ、係る電圧の電位レベルを１水平走査期間毎に１行ずつ反転させる駆動方法が開発されている（特許文献１参照）。これにより、全ての共通電極に対して同一電位レベルの電圧を供給しつつ、係る全ての共通電極の電位レベルを１水平走査期間毎に一括して反転させる駆動方法と比較して、低消費電力化を図ることができる。
【０００４】
【特許文献１】特願２００６−２６１１０１
【発明の開示】
【発明が解決しようとする課題】
【０００５】
しかしながら、例えばＦＦＳ（Fringe Field Switching）方式の液晶装置において上述した駆動方法を適用するためには、共通電極に交互に供給される２種類の電圧の電位レベルは、夫々、データ線に供給される画像信号のハイレベル以上であるか又はローレベル以下である必要がある。その結果、共通電極に供給される電位の振幅（言い換えれば、電位のレベルのレンジ）が大きくなってしまう。このため、上述した駆動方法が、消費電力の削減に必ずしも寄与しないという技術的な問題点が生じている。もちろん、他の方式の液晶装置においても、程度の差はあれども、同様の技術的な問題点が生じかねないことは否定できない。
【０００６】
本発明は、例えば上述した従来の問題点に鑑みなされたものであり、例えば消費電力のより一層の削減を実現する駆動装置、このような駆動装置を備える電気光学装置、及びこのような駆動装置を備える電子機器を提供することを課題とする。
【課題を解決するための手段】
【０００７】
（駆動装置）
本発明の駆動装置は、複数の画素電極と、１以上の水平ライン毎の画素電極に対応して形成される複数の共通電極と、前記複数の画素電極と前記複数の共通電極との間に印加される電界に応じて駆動される電気光学物質とを備える電気光学装置を駆動する駆動装置であって、前記複数の共通電極のうちの第１共通電極に、第１電圧及び該第１電圧とは異なる第２電圧の一方を供給し、且つ前記複数の共通電極のうちの前記第１共通電極の後段に隣接する第２共通電極に、前記第１電圧及び前記第２電圧の他方を供給する供給回路と、所定期間毎に、前記第１共通電極及び前記第２共通電圧に供給される電圧の夫々を、前記第１電圧から前記第２電圧へと又は前記第２電圧から前記第１電圧へと切り替える切替動作を行うと共に、該切替動作を前記複数の共通電極に対して順に行う切替回路と、前記切替回路により切り替えられる電圧が前記第１共通電極及び前記第２共通電極の少なくとも一方に供給される前に、前記第１共通電極と前記第２共通電極とを電気的に相互に接続する制御回路とを備える。
【０００８】
本発明の駆動装置によれば、例えば液晶装置等の電気光学装置が備える共通電極に対して電圧を供給することにより、電気光学装置を駆動することができる。本発明に係る駆動装置による駆動対象となる電気光学装置は、例えば画像信号が供給されるデータ線と走査信号が供給される走査線との交差位置に対応するように設けられる複数の画素電極と、１以上の水平ライン毎に設けられる（言い換えれば、１つの走査線毎若しくは２以上の走査線毎に、１つずつ設けられる）複数の共通電極とを備えている。つまり、本発明においては、通常ベタ状に形成される共通電極が、１水平ライン毎（例えば、走査線に沿って）若しくは２以上の水平ライン毎（例えば、２以上の走査線に沿って）に、電気的に分割されている。そして、水平ライン毎に、各水平ラインに属する複数の画素電極の一部と共通電極との間の電位差に起因した電圧が電気光学物質に印加されることで、画像表示等が行われる。
【０００９】
このような電気光学装置を駆動するため（特に、共通電極に対して電圧を供給するために）、本発明に係る駆動装置は、供給回路と、切替回路とを備えている。
【００１０】
供給回路は、電気光学装置が備える複数の共通電極の夫々に対して電圧を供給する。ここで、本発明に係る供給回路は、複数の共通電極のうちの第１共通電極に対して、第１電圧（例えば、相対的にハイレベルな電圧）及び第２電圧（例えば、相対的にローレベルな電圧）のうちの一方を供給する。また、本発明に係る供給回路は、第２共通電極に対して、第１電圧及び第２電圧のうちの他方を供給する。尚、本発明においては、「第１共通電極」は、第１のグループに属する一又は複数の共通電極であって、典型的には、例えば奇数行に属する共通電極又はその一部が一例としてあげられる。また、「第２共通電極」は、第１共通電極の後段に隣接する共通電極（言い換えれば、第１グループとは異なる第２のグループに属する一又は複数の共通電極）を示す趣旨であって、典型的には、例えば偶数行に属する共通電極又はその一部が一例としてあげられる。また、本発明における「後段」とは、電気光学装置における走査方向（特に、垂直走査の方向）に対する後側（つまり、走査の順序が後側又は遅い側）であることを示す趣旨である。つまり、第１共通電極に対応する行における水平走査が行われた後、第２共通電極に対応する行における水平走査が行われる。このため、本発明における複数の共通電極は、例えば、第１共通電極と第２共通電極とが交互に複数配列されることで構成されている。従って、本発明に係る供給回路は、例えば、相隣接する２つの共通電極に供給される電圧の電位レベルが異なる（言い換えれば、反転する）ように、第１電圧及び第２電圧の夫々を、複数の共通電極に対して供給する。但し、相隣接する２つの共通電極に供給される電圧の電位レベルが異なるという状態が、電気光学装置が備える全ての共通電極において実現されている必要は必ずしもなく、電気光学装置が備える全ての共通電極のうちの少なくとも２つの相隣接する共通電極に供給される電圧の電位レベルが異なっているように構成してもよい。
【００１１】
切替回路は、第１共通電極に供給される電圧を、所定期間毎に、第１電圧から第２電圧へと又は第２電圧から第１電圧へと切り替える。ここに「所定期間」とは、供給される画像信号を反転させる期間として、駆動方式に対応して予め設定される期間を意味し、例えば、一水平走査期間、フレーム期間、フィールド期間等である。具体的には、例えば、第１電圧が第１共通電極に供給されている場合には、切替回路の動作により、第１共通電極に供給される電圧が第１電圧から第２電圧へと切り替えられる。同様に、例えば、第２電圧が第１共通電極に供給されている場合には、切替回路の動作により、第１共通電極に供給される電圧が第２電圧から第１電圧へと切り替えられる。同様に、第２共通電極に供給される電圧を、第１電圧から第２電圧へと又は第２電圧から第１電圧へと切り替える。このため、切替後においても、相隣接する第１共通電極及び第２共通電極に供給される電圧の電位レベルが異なる状態が維持されている。この切替動作は、複数の共通線の夫々に対して順に行われる。例えば、切替動作は、１水平走査期間毎に１つの共通電極に対して行われてもよい。つまり、ある水平走査期間において、ある共通電極に対する切替動作を行った後、次の水平走査期間において次の共通電極に対する切替動作を行ってもよい。或いは、２水平走査期間毎に相隣接する２つの共通電極（つまり、第１共通電極及び第２共通電極）に対して行われてもよい。つまり、連続する２つの水平走査期間において、ある相隣接する２つの共通電極に対する切替動作を行った後、次の連続する２つの水平走査期間において次の相隣接する２つの共通電極に対する切替動作を行ってもよい。但し、１つの共通電極における切替動作に限って見れば、典型的には、例えば、１垂直走査期間毎に（或いは、１フレーム周期毎に）行われるが、もちろん、その他の周期で行われてもよい。
【００１２】
本発明に係る駆動装置は更に、電気光学装置を駆動させるために必要な消費電力の一層の削減を実現するために、制御回路を備えている。制御回路は、切替回路により切り替えられる電圧が第１共通電極及び第２共通電極の少なくとも一方に実際に供給される前に（或いは、第１共通電極及び第２共通電圧の少なくとも一方に供給される電圧の切替動作が行われる前に）、第１共通電極と第２共通電極とを電気的に相互に接続する。典型的には、第１共通電極と第２共通電極とを、直接的に相互に短絡させる又は所定の素子を介して間接的に相互に短絡させる。このとき、合わせて、第１共通電極と第２共通電極との夫々を、供給回路から電気的に切り離すように構成することが好ましい。
【００１３】
ここで、第１共通電極と第２共通電極とに供給されていた電圧の夫々の電位レベルが異なるため、第１共通電極と第２共通電極とを短絡させた後は、第１共通電極と第２共通電極との夫々の電位は、第１電圧の電位と第２電圧の電位との間の中間電位となる。その後、切替回路による切替動作が行われるため、第１共通電極と第２共通電極との夫々の電位は、第１電圧の電位又は第２電圧の電位となる。つまり、第１共通電極と第２共通電極とを電気的に相互に接続することで、特段の電力を供給（或いは、消費）しなくとも、第１共通電極と第２共通電極の夫々の電位を、第１電圧の電位又は第２電圧の電位から中間電位へと遷移させることができる。その後、画素電極と共通電極との間の電位差に応じた電圧が液晶に印加されることで、画像表示が行われる。
【００１４】
このように、本発明では、第１共通電極や第２共通電極の夫々の電位を反転させるために、供給回路は、中間電位と第１電圧の電位との電位差又は中間電位と第２電圧の電位との電位差を与えることができる程度の相対的に小さな電力を消費すれば足りる。言い換えれば、供給回路は、第１電圧の電位と第２電圧の電位との電位差又は第２電圧の電位と第１電圧の電位との電位差を与える程度に相対的に大きな電力を消費する必要はない。このため、本発明によれば、第１電圧の電位と第２電圧の電位との電位差又は第２電圧の電位と第１電圧の電位との電位差を与える必要がある構成（つまり、切り替え動作の前に、第１共通電極と第２共通電極とを電気的に接続しない構成）と比較して、電気光学装置の駆動（特に、共通線に電位を書き込む動作）に必要な消費電力の削減を図ることができる。
【００１５】
本発明の駆動装置の一の態様では、前記制御回路は、前記第１共通電極と前記第２共通電極とを電気的に相互に接続してから所定時間経過後に、前記第１共通電極と前記第２共通電極とを電気的に切り離す。
【００１６】
この態様によれば、第１共通電極と第２共通電極との夫々の電位が、第１電圧の電位と第２電圧の電位との間の中間電位となった後に、第１共通電極と第２共通電極との夫々の電位を、第１電圧の電位又は第２電圧の電位とすることができる。従って、上述した各種効果を好適に享受することができる。
【００１７】
尚、第１共通電極と第２共通電極とを電気的に切り離すことに合わせて、第１共通電極と第２共通電極との夫々を、供給回路に電気的に接続するように構成することが好ましい。
【００１８】
また、本発明における「所定時間」とは、第１共通電極及び第２共通電極の夫々の電位が、第１共通電極と第２共通電極との間の電気的な接続によって上昇又は減少するために必要な期間を示す趣旨であり、例えば、第１共通電極及び第２共通電極の夫々の電位が、第１電圧の電位と第２電圧の電位との間の中間電位となるために必要な期間が一例としてあげられる。また、後述するように、１水平走査期間や水平帰線期間等も、「所定時間」の一例としてあげられる。
【００１９】
本発明の駆動装置の他の態様では、前記電気光学装置は、画像信号が供給されるデータ線と前記複数の画素電極との間の電気的な接続を制御するための走査信号が順に供給される走査線を１以上の水平ライン毎に備えており、前記制御回路は、前記複数の共通電極のうち前記第１共通電極の前段に隣接する第３共通電極と同じ水平ライン上に位置する前記走査線に供給される前記走査信号に応じたタイミングで、前記第１共通電極と前記第２共通電極とを電気的に相互に接続する。
【００２０】
この態様によれば、走査信号は、画素電極に画像信号を印加するタイミングを制御する信号であるため、例えば１フレーム前に画像表示が既に行われた第１共通電極と第２共通電極とを電気的に相互に接続することができる。つまり、相隣接する第１共通電極及び第２共通電極のうち、前段に位置する第１共通電極の更に前段に位置する第３共通電極が属する水平ライン（つまり、行）の走査信号に応じたタイミングで、相隣接する第１共通電極と第２共通電極とを電気的に相互に接続することができるため、走査方向が順方向であっても又は逆方向であっても、画像表示が行われる直前に第１共通電極と第２共通電極とを電気的に相互に接続することができる。
【００２１】
尚、本発明における「前段」とは、電気光学装置における走査方向（特に、垂直走査の方向）に対する前側（つまり、走査の順序が前側又は早い側）であることを示す趣旨である。
【００２２】
上述の如く走査信号に応じたタイミングで第１共通電極と第２共通電極とを電気的に相互に接続する駆動装置の態様では、前記制御回路は、前記第３共通電極又は前記第４共通電極と同じ水平ライン上に位置する前記走査線に供給される前記走査信号が選択状態レベルとなっている間、前記第１共通電極と前記第２共通電極とを電気的に相互に接続するように構成してもよい。
【００２３】
このように構成すれば、走査信号に基づいて、適切なタイミングで、第１共通電極と第２共通電極とを電気的に相互に接続することができる。その結果、上述した各種効果を好適に享受することができる。
【００２４】
尚、本発明における「選択状態レベル」とは、走査線と電気的に接続されていると共に走査信号のレベルに応じて状態が切り替わるＴＦＴ等のスイッチング素子をオン状態とする（言い換えれば、該スイッチング素子を含む画素部を選択状態とする）ことができるレベルを示す趣旨である。
【００２５】
上述の如く走査信号に応じたタイミングで第１共通電極と第２共通電極とを電気的に相互に接続する駆動装置の態様では、前記制御回路は、前記第３共通電極又は前記第４共通電極と同じ水平ライン上に位置する前記走査線に供給される前記走査信号が非選択状態レベルとなっている間、前記第１共通電極を前記第２共通電極から電気的に切り離すように構成してもよい。
【００２６】
このように構成すれば、走査信号に基づいて、適切なタイミングで、第１共通電極を第２共通電極から電気的に切り離すことができる。その結果、上述した各種効果を好適に享受することができる。
【００２７】
尚、本発明における「非選択状態レベル」とは、走査線と電気的に接続されていると共に走査信号のレベルに応じて状態が切り替わるＴＦＴ等のスイッチング素子をオフ状態とする（言い換えれば、該スイッチング素子を含む画素部を非選択状態とする）ことができるレベルを示す趣旨である。
【００２８】
本発明の駆動装置の他の態様では、前記電気光学装置は、前記複数の画素電極及び前記複数の共通電極の夫々が形成される第１基板と、前記第１基板に対向するように配置される第２基板とを備えており、前記電気光学物質は、前記第１基板及び前記第２基板の間に挟持される。
【００２９】
この態様によれば、例えば、ＦＦＳ方式やＩＰＳ方式等の横電界駆動方式の電気光学装置において、上述した各種効果を享受することができる。
【００３０】
尚、複数の共通電極は、第２基板側に形成されてもよい。
【００３１】
本発明の駆動装置の他の態様では、前記切替回路は、隣り合う２つの共通電極の組に１つずつ対応するように設けられており、前記第１共通電極及び前記第２共通電極に対応する前記切替回路は、前記複数の共通電極のうち前記第１共通電極の前段に隣接する第３共通電極と同じ水平ライン上に位置する前記走査線に供給される前記走査信号に応じたタイミングで、前記供給回路から前記第１共通電極及び前記第２共通電極の夫々に供給される電圧を、前記第１電圧から前記第２電圧へと又は前記第２電圧から前記第１電圧へと切り替える。
【００３２】
この態様によれば、２つの水平ライン毎に１つの切替回路を備えればよくなるため、１つの水平ライン毎に１つの切替回路を備える構成と比較して、切替回路の動作に必要な消費電力の削減を一層図ることができる。また、切替回路を配置するための物理的なスペースをも削減することができるため、例えば狭額縁化をも図ることができる。
【００３３】
（電気光学装置）
上記課題を解決するために、本発明の電気光学装置は、上述した本発明の駆動装置（但し、その各種態様を含む）を備える。
【００３４】
本発明の電子機器によれば、上述した本発明の駆動装置（或いは、その各種態様）備えているため、上述した本発明の駆動装置が享受する各種効果と同様の効果を享受することができる。つまり、上述した本発明の駆動装置が享受する各種効果と同様の効果を享受することができる液晶装置等の各種電気光学装置を実現することができる。
【００３５】
（電子機器）
上記課題を解決するために、本発明の電子機器は、上述した本発明の電気光学装置（但し、その各種態様を含む）を備える。
【００３６】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００３７】
本発明の作用及び他の利得は次に説明する実施の形態から更に明らかにされよう。
【発明を実施するための最良の形態】
【００３８】
以下、本発明を実施するための最良の形態を、図面に基づいて説明する。尚、以下では、本発明に係る電気光学装置の一例として、液晶装置を用いて説明を進める。
【００３９】
（１）液晶装置の基本構成
先ず、本実施形態に係る液晶装置の構成について、図１及び図２を参照して説明する。図１は、本実施形態に係る液晶装置の構成を示す平面図であり、図２は、図１のＨ−Ｈ’断面図である。
【００４０】
図１及び図２において、本実施形態に係る液晶装置１００では、本発明に係る「第１基板」の一例としてのＴＦＴアレイ基板１０と本発明における「第２基板」の一例としての対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置する枠状或いは額縁状のシール領域に設けられたシール材５２により互いに貼り合わされている。
【００４１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のスペーサが散布されている。
【００４２】
シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。但し、データ線駆動回路１０１は、シール領域よりも内側に、データ線駆動回路１０１が額縁遮光膜５３に覆われるようにして設けられていてもよい。また、走査線駆動回路１０４及び本発明における「駆動装置」の一具体例を構成する共通線駆動回路１１０は、この一辺に隣接する２辺に沿ったシール領域の内側に、額縁遮光膜５３に覆われるようにして設けられている。
【００４３】
図２において、ＴＦＴアレイ基板１０上には、駆動素子である画素スイッチング用のＴＦＴ（Thin Film Transistor）や走査線、データ線等の配線が作り込まれた積層構造が形成されている。具体的には、画像表示領域１０ａには、画素スイッチング用ＴＦＴや走査線、データ線等の配線の上層に共通電極１１、絶縁層１２及び画素電極９ａがこの順に形成されている。つまり、本実施形態に係る液晶装置１００は、画素電極９ａと共通電極１１との間に生ずる電界によって液晶層５０の配向状態を制御する横電界駆動方式（特に、ＦＦＳ方式）を採用している。ここで、画素電極９ａは、画像表示領域１０ａを構成する各画素を形成するようにマトリクス状に設けられている。一方で、共通電極１１は、１つの行に属する画素電極９ａに対応する共通電極が、行毎に設けられている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に配向膜８が形成されている。また、液晶層５０は、例えば一種又は数種類のネマティック液晶を混合した液晶からなり、これら一対の配向膜間で、所定の配向状態をとる。
【００４４】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４５】
（２）液晶装置の詳細な構成
続いて、図３を参照して、本実施形態に係る液晶装置１００の要部の電気的な構成について説明する。ここに、図３は、本実施形態に係る液晶装置１００の要部の電気的な構成を概念的に示すブロック図である。
【００４６】
図３において、本実施形態に係る液晶装置１００は、そのＴＦＴアレイ基板１０上の画像表示領域１０ａの周辺に位置する周辺領域に、走査線駆動回路１０４、データ線駆動回路１０１、共通線駆動回路１１０等の駆動回路が形成されている。
【００４７】
走査線駆動回路１０４は、走査信号を、走査線Ｙ１からＹｎ（但し、ｎは１以上の整数）に順次供給する。例えば、ある走査線Ｙａ（但し、ａは、１≦ａ≦ｎを満たす整数）にハイレベルの走査信号が供給されると、この走査線Ｙａに接続されたＴＦＴ１１６が全てオン状態となり、この走査線Ｙａに対応する画素部７０が全て選択される。
【００４８】
データ線駆動回路１０１は、画像信号を、データ線Ｘ１からＸｍ（但し、ｍは１以上の整数）に順次供給し、オン状態のＴＦＴ１１６を介してこの画像信号に基づく画像電圧を画素電極９ａに書き込む。
【００４９】
共通線駆動回路１１０は、後に詳述するように、第１電圧ＶＣＯＭＨ又は第１電圧ＶＣＯＭＨよりも電位が低い第２電圧ＶＣＯＭＬを、共通線Ｚｎに供給する。より具体的には、共通線駆動回路１１０は、ａ行目の共通線Ｚａに対して、１フレーム期間毎に、第１電圧ＶＣＯＭＨと第２電圧ＶＣＯＭＬとを交互に供給する。例えば、共通線駆動回路１１０は、ある１フレーム期間において、共通線Ｚａに第１電圧ＶＣＯＭＨを供給した場合には、次の１フレーム期間において、共通線Ｚａに第２電圧ＶＣＯＭＬを供給する。他方、共通線駆動回路１１０は、ある１フレーム期間において、共通線Ｚａに第２電圧ＶＣＯＭＬを供給した場合には、次の１フレーム期間において、共通線Ｚａに第１電圧ＶＣＯＭＨを供給する。また、共通線駆動回路１１０は、互いに隣接する共通線Ｚａ−１と共通線Ｚａには、互いに異なる電圧を供給する。つまり、共通線駆動回路１１０は、共通線Ｚａ−１に第１電圧ＶＣＯＭＨ（又は、第２電圧ＶＣＯＭＬ）を供給する一方で、共通線Ｚａ−１に隣接する共通線Ｚａに第２電圧ＶＣＯＭＬ（又は、第１電圧ＶＣＯＭＨ）を供給する。尚、共通線駆動回路１１０の構成や詳細な動作については後に詳細に説明する（図４から図７参照）。
【００５０】
本実施形態に係る液晶装置１００には、更に、そのＴＦＴアレイ基板１０の中央を占める画像表示領域１０ａに、マトリクス状に配列された複数の画素部７０が設けられている。
【００５１】
画素部７０は、画素スイッチング用のＴＦＴ１１６、画素電極９ａ、液晶素子１１８、共通電極１１及び蓄積容量１１９を備えている。
【００５２】
ＴＦＴ１１６は、ソース端子がデータ線Ｘ１〜Ｘｍのいずれかに電気的に接続され、ゲート端子が走査線Ｙ１からＹｎのいずれかに電気的に接続され、ドレイン端子が画素電極９ａに電気的に接続されている。画素スイッチング用のＴＦＴ１１６は、走査線駆動回路１０４から供給される走査信号によってオン状態及びオフ状態が切り換えられる。
【００５３】
液晶素子１１８は、画素電極９ａ、共通電極１１並びに画素電極９ａ及び共通電極２１間に位置する液晶から構成されている。画素電極９ａは、ＴＦＴ１１６を介してデータ線Ｘ１からＸｍのいずれかと電気的に接続されている。共通電極１１は、共通配線Ｚ１からＺｎのいずれかと電気的に接続されている。尚、画素電極９ａ及び共通電極１１は、上述したように、いずれもＴＦＴアレイ基板１０上に設けられている。液晶装置１００の動作時には、データ線Ｘ１からＸｍ及びＴＦＴ１１６を介して供給された画像信号の電位を有する画素電極９ａと、共通線Ｚ１からＺｎを介して供給された第１電圧ＶＣＯＭＨ又は第２電圧ＶＣＯＭＬの電位を有する共通電極１１との間には、ＴＦＴアレイ基板１０の基板面に沿った横電界が生じる。液晶は、当該横電界に応じて駆動されることによって、即ち、当該横電界に応じて分子集合の配向や秩序が変化することによって、光を変調し、階調表示を可能とする。
【００５４】
蓄積容量１１９は、保持された画像信号がリークするのを防ぐために、液晶素子１１８と並列に付加されている。蓄積容量１１９を構成する一方の電極は、画素電極９ａに電気的に接続され、他方の電極は、共通電極１１に電気的に接続されている。
【００５５】
以上の液晶装置１００は、以下のように動作する。
【００５６】
まず、走査線駆動回路１０４から走査線Ｙａにハイレベルの走査信号を供給することで、走査線Ｙａに接続された全てのＴＦＴ１１６をオン状態にして、走査線Ｙａに係る全ての画素部７０を選択する。
【００５７】
また、走査線Ｙａに係る画素部７０の選択に同期して、データ線駆動回路１０１からデータ線Ｘ１からＸｍに、共通線Ｚ１からＺｎの電位に応じて、正極性の画像信号と負極性の画像信号とを、１水平走査期間毎に交互に供給する。具体的には、共通線Ｚａの電位が第１電圧ＶＣＯＭＨであれば、負極性の画像信号をデータ線Ｘ１からＸｍに供給する。他方、共通線Ｚａの電位が第２電圧ＶＣＯＭＬであれば、正極性の画像信号をデータ線Ｘ１からＸｍに供給する。
【００５８】
これにより、走査線駆動回路１０４で選択した全ての画素部７０に、データ線駆動回路１０１からデータ線Ｘ１からＸｍ及びＴＦＴ１１６を介して画像信号が供給される、この画像信号に基づく画像電圧が画素電極９ａに書き込まれる。これにより、画素電極９ａと共通電極１１との間に電位差が生じて、駆動電圧が液晶に印加される。
【００５９】
（３）共通線駆動回路の具体的な構成及び動作
続いて、図４を参照して、共通線駆動回路１１０の具体的な構成及び動作について説明する。ここに、図４は、共通線駆動回路１１０の構成を概念的に示すブロック図である。
【００６０】
図４に示すように、共通線駆動回路１１０は、本発明における「供給回路」及び「切替回路」の一具体例を構成するラッチ回路１１１と、本発明における「供給回路」及び「切替回路」の一具体例を構成する電圧選択回路１１２と、本発明における「制御回路」の一具体例を構成する短絡制御回路１１３とを備えている。
【００６１】
続いて、図５を参照して、共通線駆動回路１１０が備えるラッチ回路１１１の構成について説明する。ここに、図５は、共通線駆動回路１１０が備えるラッチ回路１１１の構成を概念的に示すブロック図である。
【００６２】
図５に示すように、ラッチ回路１１１は、１行目及び２行目の共通線Ｚ１及びＺ２に対応して設けられた第１ラッチ回路部１１１＃２と、３行目からｎ行目の共通線Ｚ３からＺｎに対応して設けられた第２ラッチ回路部１１１＃４から１１１＃ｎ（つまり、共通線Ｚｋ−１及びＺｋ（但し、ｋは、４≦ｋ≦ｎを満たす整数であり、典型的には偶数）に対応して設けられた第２ラッチ回路部１１１＃ｋ）とを含んでいる。
【００６３】
第２ラッチ回路部１１１＃ｋは、第１インバータＵ１２、第２インバータＵ１３、第１クロックドインバータＵ１４、第２クロックドインバータＵ１５、第３インバータＵ１６及び第４インバータＵ１７を備えている。
【００６４】
第１インバータＵ１２の入力端子、第１クロックドインバータＵ１４の非反転入力制御端子及び第２クロックドインバータＵ１５の反転入力端子の夫々には、第２ラッチ回路部１１１＃ｋに対応する共通線Ｚｋ−１及びＺｋの前段（つまり、前の行）の走査線Ｙｋ−２が電気的に接続されている。また、第１インバータＵ１２の出力端子には、第１のクロックドインバータＵ１４の反転入力制御端子及び第２クロックドインバータＵ１５の非反転入力端子の夫々が電気的に接続されている。
【００６５】
第１クロックドインバータＵ１４の入力端子には、極性信号ＰＯＬが入力されている。尚、極性信号ＰＯＬは、１垂直走査期間毎に電位レベルがハイレベルからローレベルへと又はローレベルからハイレベルへと切り替わる信号である。第１クロックドインバータＵ１４の出力端子には、第２クロックドインバータＵ１５の出力端子及び第２インバータＵ１３の入力端子の夫々が電気的に接続されている。第２クロックドインバータＵ１５の入力端子には、第２インバータＵ１３の出力端子及び第３インバータＵ１６の入力端子の夫々が電気的に接続されている。第３インバータＵ１６の出力端子には、第４インバータＵ１７の入力端子が電気的に接続されている。
【００６６】
以上の第２ラッチ回路部１１１＃ｋは、以下のように動作する。
【００６７】
まず、走査線Ｙｋ−２にハイレベルの走査信号が供給されると、該ハイレベルの走査信号は、第１クロックドインバータＵ１４の非反転入力制御端子に入力される。また、ハイレベルの走査信号は、第１インバータＵ１２により極性が反転されてローレベルの信号に変換され、該ローレベルの信号が第１クロックドインバータＵ１４の反転入力制御端子に入力される。このため、第１クロックドインバータＵ１４はオン状態となり、極性信号ＰＯＬの極性を反転して出力する。この第１クロックドインバータＵ１４から極性が反転されて出力された極性信号ＰＯＬは、第２インバータＵ１３により極性が再度反転されて極性信号ＰＯＬに戻り、第３インバータＵ１６及び第４インバータＵ１７において波形整形された後、ラッチ信号ＬＡＴｋとして出力される。
【００６８】
他方、走査線Ｙｋ−２にローレベルの走査信号が供給されると、該ローレベルの走査信号は、第２クロックドインバータＵ１５の反転入力制御端子に入力される。また、ローレベルの走査信号は、第１インバータＵ１２により極性が反転されてハイレベルの信号に変換され、該ハイレベルの信号が第２クロックドインバータＵ１５の非反転入力制御端子に入力される。このため、第２クロックドインバータＵ１５はオン状態となり、第２インバータＵ１３から出力された極性信号ＰＯＬの極性を反転して出力する。この第２クロックドインバータＵ１５から極性が反転されて出力された極性信号ＰＯＬは、第２インバータＵ１３により極性が再度反転されて極性信号ＰＯＬに戻り、第３インバータＵ１６及び第４インバータＵ１７において波形整形された後、極性信号ＰＯＬがラッチ信号ＬＡＴｋとして出力される。
【００６９】
即ち、第２ラッチ回路部１１１＃ｋは、走査線Ｙｋ−２にハイレベルの走査信号が供給されると、極性信号ＰＯＬを取り込んで、この取り込んだ極性信号ＰＯＬをラッチ信号ＬＡＴｋとして出力する。また、第２ラッチ回路部１１１＃ｋは、走査線Ｙｋ−２にローレベルの走査信号が供給されると、ラッチ信号ＬＡＴｋを第２インバータＵ１３及び第２クロックドインバータＵ１５により保持しつつ、出力する。つまり、第２ラッチ回路部１１１＃ｋは、ハイレベルの走査信号が走査線Ｙｋ−２に入力された時点で取り込んだ極性信号ＰＯＬを、少なくとも１垂直走査期間（或いは、１フレーム周期）の間出力し続けることができる。
【００７０】
続いて、第１ラッチ回路部１１１＃２について説明する。第１ラッチ回路部１１１＃２は、第２ラッチ回路部１１１＃ｋと比較して、走査線Ｙｋ−２に代えて、高電位電源ＶＨＨが第１インバータＵ１２の入力端子、第１クロックドインバータＵ１４の非反転入力制御端子及び第２クロックドインバータＵ１５の反転入力端子の夫々に電気的に接続されているという点において異なっている。第１ラッチ回路部１１１＃２の動作については、第２ラッチ回路部１１１＃ｋの動作と同様である。つまり、第１ラッチ回路部１１１＃２では、第１クロックドインバータＵ１４が常にオン状態になり、取り込んだ極性信号ＰＯＬを、常に出力し続けることができる。
【００７１】
続いて、図６を参照して、共通線駆動回路１１０が備える電圧選択回路１１２の構成について説明する。ここに、図６は、共通線駆動回路１１０が備える電圧選択回路１１２の構成を概念的に示すブロック図である。
【００７２】
図６に示すように、電圧選択回路１１２は、ｋ−１行目からｋ行目の共通線Ｚｋ−１からＺｋに対応して設けられた電圧選択回路部１１２＃ｋを含んでいる。尚、図６においては、図５における場合と違い、ｋは、２≦ｋ≦ｎを満たす整数であり、典型的には偶数である。
【００７３】
電圧選択回路部１１２＃ｋは、インバータＵ２１、ＴＦＴＵ２２、ＴＦＴＵ２３、ＴＦＴＵ２４及びＴＦＴＵ２５を備えている。
【００７４】
インバータＵ２１の入力端子、ＴＦＴＵ２２の非反転入力ゲート端子及びＴＦＴＵ２３の反転入力ゲート端子の夫々には、ラッチ回路１１１から出力されるラッチ信号ＬＡＴｋが入力される。
【００７５】
インバータＵ２１の出力端子には、ＴＦＴＵ２４の非反転入力ゲート端子及びＴＦＴＵ２５の反転入力ゲート端子の夫々が電気的に接続されている。ＴＦＴＵ２３のソース端子及びＴＦＴＵ２５のソース端子の夫々には、第１電圧ＶＣＯＭＨが供給される。また、ＴＦＴＵ２２のソース端子及びＴＦＴＵ２４のソース端子の夫々には、第２電圧ＶＣＯＭＬが供給される。また、ＴＦＴＵ２２のドレイン端子及びＴＦＴＵ２３のドレイン端子の夫々は相互に電気的に接続されると共に、ＴＦＴＵ２４のドレイン端子及びＴＦＴＵ２５のドレイン端子の夫々は相互に電気的に接続される。
【００７６】
以上の電圧回路選択部１１２＃ｋは、以下のように動作する。
【００７７】
まず、ラッチ回路１１１からハイレベルのラッチ信号ＬＡＴｋが出力されると、このハイレベルのラッチ信号ＬＡＴｋは、ＴＦＴＵ２２の非反転入力ゲート端子及びＴＦＴＵ２３の反転入力ゲート端子の夫々に入力される。加えて、ハイレベルのラッチ信号ＬＡＴｋは、インバータＵ２１において極性が反転されてローレベルの信号に変換され、該ローレベルの信号が、ＴＦＴＵ２４の非反転入力ゲート端子及びＴＦＴＵ２５の反転入力ゲート端子の夫々に入力される。このため、ＴＦＴＵ２２がオン状態になり、ＴＦＴＵ２３がオフ状態となり、ＴＦＴＵ２４がオフ状態となり、ＴＦＴ２５がオン状態となる。その結果、第２電圧ＶＣＯＭＬを供給するＶＣＯＭＬラインから、ＴＦＴＵ２２を介して、第２電圧ＶＣＯＭＬが、電圧レベル信号ＶＯＵＴｋ−１として出力されると共に、第１電圧ＶＣＯＭＨを供給するＶＣＯＭＨラインから、ＴＦＴＵ２５を介して、第１電圧ＶＣＯＭＨが、電圧レベル信号ＶＯＵＴｋとして出力される。
【００７８】
他方、ラッチ回路１１１からローレベルのラッチ信号ＬＡＴｋが出力されると、このローレベルのラッチ信号ＬＡＴｋは、ＴＦＴＵ２２の非反転入力ゲート端子及びＴＦＴＵ２３の反転入力ゲート端子の夫々に入力される。加えて、ローレベルのラッチ信号ＬＡＴｋは、インバータＵ２１において極性が反転されてハイレベルの信号に変換され、該ハイレベルの信号が、ＴＦＴＵ２４の非反転入力ゲート端子及びＴＦＴＵ２５の反転入力ゲート端子の夫々に入力される。このため、ＴＦＴＵ２２がオフ状態になり、ＴＦＴＵ２３がオン状態となり、ＴＦＴＵ２４がオン状態となり、ＴＦＴ２５がオフ状態となる。その結果、第１電圧ＶＣＯＭＨを供給するＶＣＯＭＨラインから、ＴＦＴＵ２３を介して、第１電圧ＶＣＯＭＨが、電圧レベル信号ＶＯＵＴｋ−１として出力されると共に、第２電圧ＶＣＯＭＬを供給するＶＣＯＭＬラインから、ＴＦＴＵ２４を介して、第２電圧ＶＣＯＭＬが、電圧レベル信号ＶＯＵＴｋとして出力される。
【００７９】
続いて、図７を参照して、共通線駆動回路１１０が備える短絡制御回路１１３の構成について説明する。ここに、図７は、共通線駆動回路１１０が備える短絡制御回路１１３の構成を概念的に示すブロック図である。
【００８０】
図７に示すように、短絡制御回路１１３は、１行目及び２行目の共通線Ｚ１及びＺ２に対応して設けられた第１短絡制御回路部１１３＃２と、３行目からｎ行目の共通線Ｚ３からＺｎに対応して設けられた第２短絡制御回路部１１３＃４から１１１＃ｎ（つまり、共通線Ｚｋ−１及びＺｋ（但し、ｋは、４≦ｋ≦ｎを満たす整数であり、典型的には偶数）に対応して設けられた第２短絡制御回路部１１３＃ｋ）とを含んでいる。
【００８１】
第２短絡制御回路部１１３＃ｋは、ＴＦＴＵ３１、ＴＦＴＵ３２及びＴＦＴＵ３３を備えている。
【００８２】
ＴＦＴＵ３１のソース端子には、電圧レベル信号ＶＯＵＴｋ−１が入力される。ＴＦＴＵ３１の反転入力ゲート端子には、第２短絡制御回路部１１３＃ｋに対応する共通線Ｚｋ−１及びＺｋの前段（つまり、前の行）の走査線Ｙｋ−２が電気的に接続されている。ＴＦＴＵ３１のドレイン端子には、ＴＦＴＵ３３のソース端子及び共通線Ｚｋ−１の夫々が電気的に接続されている。
【００８３】
ＴＦＴＵ３２のソース端子には、電圧レベル信号ＶＯＵＴｋが入力される。ＴＦＴＵ３２の反転入力ゲート端子には、第２短絡制御回路部１１３＃ｋに対応する共通線Ｚｋ−１及びＺｋの前段（つまり、前の行）の走査線Ｙｋ−２が電気的に接続されている。ＴＦＴＵ３２のドレイン端子には、ＴＦＴＵ３３のドレイン端子及び共通線Ｚｋの夫々が電気的に接続されている。
【００８４】
ＴＦＴＵ３３の非反転入力ゲート端子には、第２短絡制御回路部１１３＃ｋに対応する共通線Ｚｋ−１及びＺｋの前段（つまり、前の行）の走査線Ｙｋ−２が電気的に接続されている。
【００８５】
以上の第２短絡制御回路部１１３＃ｋは、以下のように動作する。
【００８６】
まず、走査線Ｙｋ−２にハイレベルの走査信号が供給されると、該ハイレベルの走査信号は、ＴＦＴＵ３１の反転入力ゲート端子、ＴＦＴＵ３２の反転入力ゲート端子及びＴＦＴＵ３３の非反転入力ゲート端子の夫々に入力される。このため、ＴＦＴＵ３１及びＴＦＴＵ３２の夫々がオフ状態になると共に、ＴＦＴＵ３３がオン状態となる。その結果、共通線Ｚｋ−１に電圧レベル信号ＶＯＵＴｋ−１が供給されることはなく、且つ共通線Ｚｋに電圧レベル信号ＶＯＵＴｋが供給されることはない。一方で、共通線Ｚｋ−１とＺｋとがＴＦＴＵ３３を介して電気的に相互に接続された状態（言い換えれば、短絡した状態）となる。従って、第１電圧ＶＣＯＭＨ及び第２電圧ＶＣＯＭＬのいずれか一方が供給されていた共通線Ｚｋ−１と第１電圧ＶＣＯＭＨ及び第２電圧ＶＣＯＭＬのいずれか他方が供給されていた共通線Ｚｋとの夫々の電位が、同電位になる。このとき、典型的には、共通線Ｚｋ−１及びＺｋの夫々の電位は、第１電圧ＶＣＯＭＨの電位と第２電圧ＶＣＯＭＬの電位との間の中間電位（典型的には、第１電圧ＶＣＯＭＨの電位と第２電圧ＶＣＯＭＬの平均値）となる。
【００８７】
他方で、走査線Ｙｋ−２にローレベルの走査信号が供給されると、該ローレベルの走査信号は、ＴＦＴＵ３１の反転入力ゲート端子、ＴＦＴＵ３２の反転入力ゲート端子及びＴＦＴＵ３３の非反転入力ゲート端子の夫々に入力される。このため、ＴＦＴＵ３１及びＴＦＴＵ３２の夫々がオン状態になると共に、ＴＦＴＵ３３がオフ状態となる。その結果、共通線Ｚｋ−１に電圧レベル信号ＶＯＵＴｋ−１が供給され、且つ共通線Ｚｋに電圧レベル信号ＶＯＵＴｋが供給される。一方で、共通線Ｚｋ−１とＺｋとは、ＴＦＴＵ３３を介して電気的に相互に切り離された状態となる。従って、中間電位となっていた共通線Ｚｋ−１及びＺｋの夫々に対して、第１電圧ＶＣＯＭＨ又は第２電圧ＶＣＯＭＬが供給される。その結果、共通線Ｚｋ−１及びＺｋの夫々の電位は、第１電圧ＶＣＯＭＨの電位又は第２電圧ＶＣＯＭＬの電位となる。つまり、特段の電力を供給（或いは、消費）することなく（言い換えれば、ＶＣＯＭＨラインやＶＣＯＭＬラインから電圧を供給することなく）、共通線Ｚの電位を、第１電圧ＶＣＯＭＨの電位又は第２電圧ＶＣＯＭＬの電位から中間電位へと遷移させることができる。
【００８８】
続いて、第１短絡制御回路部１１３＃２について説明する。第１短絡制御回路部１１３＃２は、第２短絡制御回路部１１３＃ｋと比較して、走査線Ｙｋ−２に代えて、走査線Ｙｎが、ＴＦＴＵ３１の反転入力ゲート端子、ＴＦＴＵ３２の反転入力ゲート端子及びＴＦＴＵ３３の非反転入力端子の夫々に電気的に接続されているという点において異なっている。第１短絡制御回路部１１３＃２の動作については、第２短絡制御回路部１１３＃ｋの動作と同様である。つまり、第１短絡制御回路部１１３＃２では、走査線Ｙｎにハイレベルの走査信号が供給される時点で、共通線Ｚ１と共通線Ｚ２とを電気的に相互に接続する。加えて、走査線Ｙｎにローレベルの走査信号が供給される時点で、共通線Ｚ１と共通線Ｚ２とを電気的に相互に切り離すと共に、共通線Ｚ１に電圧レベル信号ＶＯＵＴ１を供給し、且つ共通線Ｚ２に電圧レベル信号ＶＯＵＴ２を供給する。
【００８９】
ここで、以上の如き動作を行う共通線駆動回路１１０の動作について、図８を用いて、より詳細に説明する。ここに、図８は、共通線駆動回路１１０の動作を示すタイミングチャートである。
【００９０】
図８に示すように、時刻ｔ１で極性信号ＰＯＬがローレベルからハイレベルに反転したとする。極性信号ＰＯＬがハイレベルに切り替わるため、前のフレーム（フレーム＃１）で第１電圧ＶＣＯＭＨが供給されていた奇数行の共通線Ｚｉ（但し、ｉ＝１、３、・・・、ｎ−１）には、次のフレーム（フレーム＃２）で第２電圧ＶＣＯＭＬが供給されるようになり、前のフレームで第２電圧ＶＣＯＭＬが供給されていた偶数行の共通線Ｚｊ（但し、ｊ＝２、４、・・・、ｎ）には、次のフレームで第１電圧ＶＣＯＭＨが供給されるようになる。
【００９１】
ここで、極性信号ＰＯＬが反転する前の時刻であり且つ走査線Ｙｎの走査信号がハイレベルになる時刻ｔ０で、共通線Ｚ１と共通線Ｚ２とが電気的に相互に接続される。このため、共通線Ｚ１及び共通線Ｚ２の電位の夫々は、中間電位となる。つまり、共通線Ｚ１の電位は、第１電圧ＶＣＯＭＨの電位から中間電位へと遷移し、共通線Ｚ２の電位は、第２電圧ＶＣＯＭＬの電位から中間電位へと遷移する。その後、時刻ｔ１で走査線Ｙｎの走査信号がローレベルになると共に極性信号ＰＯＬが反転すれば、共通線Ｚ１には第２電圧ＶＣＯＭＬが供給され且つ共通線Ｚ２には第１電圧ＶＣＯＭＨが供給される。
【００９２】
他の共通線Ｚｋ−１及びＺｋについても同様に、走査線Ｙｋ−２の走査信号がハイレベルになった時点で、(i)共通線Ｚｋ−１及びＺｋが電気的に相互に接続されることで、共通線Ｚｋ−１の電位が第１電圧ＶＣＯＭＨの電位から中間電位に遷移し且つ共通線Ｚｋの電位が第２電圧ＶＣＯＭＬの電位から中間電位に遷移すると共に、(ii)反転した極性信号ＰＯＬがラッチ信号ＬＡＴｋとして出力され、電位レベル信号ＶＯＵＴｋ−１が第１電圧ＶＣＯＭＨから第２電圧ＶＣＯＭＬに切り替わり、電位レベル信号ＶＯＵＴｋが第２電圧ＶＣＯＭＬから第１電圧ＶＣＯＭＨに切り替わる。その後、走査線Ｙｋ−２の走査信号がローレベルになった時点で、共通線Ｚｋ−１及びＺｋが電気的に切り離されることで、共通線Ｚｋ−１の電位が中間電位から第２電圧ＶＣＯＭＬの電位に遷移し且つ共通線Ｚｋの電位が中間電位から第１電圧ＶＣＯＭＨの電位に遷移する。
【００９３】
フレーム＃２の表示動作が終了した後に、フレーム＃３の表示動作を行う場合も概ね同様の動作が行われる。
【００９４】
具体的には、フレーム＃２の表示動作が終了した時刻ｔ３において、極性信号ＰＯＬがハイレベルからローレベルに反転する。極性信号ＰＯＬがローレベルに切り替わるため、前のフレーム（フレーム＃２）で第２電圧ＶＣＯＭＬが供給されていた奇数行の共通線Ｚｉ（但し、ｉ＝１、３、・・・、ｎ−１）には、次のフレーム（フレーム＃３）で第１電圧ＶＣＯＭＨが供給されるようになり、前のフレームで第１電圧ＶＣＯＭＨが供給されていた偶数行の共通線Ｚｊ（但し、ｊ＝２、４、・・・、ｎ）には、次のフレームで第２電圧ＶＣＯＭＬが供給されるようになる。
【００９５】
ここで、極性信号ＰＯＬが反転する前の時刻であり且つ走査線Ｙｎの走査信号がハイレベルになる時刻ｔ２で、共通線Ｚ１と共通線Ｚ２とが電気的に相互に接続される。このため、共通線Ｚ１及び共通線Ｚ２の電位の夫々は、中間電位となっている。つまり、共通線Ｚ１の電位は、第２電圧ＶＣＯＭＬの電位から中間電位へと遷移し、共通線Ｚ２の電位は、第１電圧ＶＣＯＭＨの電位から中間電位へと遷移する。その後、時刻ｔ３で走査線Ｙｎの走査信号がローレベルになると共に極性信号ＰＯＬが反転すれば、共通線Ｚ１には第１電圧ＶＣＯＭＨが供給され且つ共通線Ｚ２には第２電圧ＶＣＯＭＬが供給される。
【００９６】
他の共通線Ｚｋ−１及びＺｋについても同様に、走査線Ｙｋ−２の走査信号がハイレベルになった時点で、(i)共通線Ｚｋ−１及びＺｋが電気的に相互に接続されることで、共通線Ｚｋ−１の電位が第２電圧ＶＣＯＭＬの電位から中間電位に遷移し且つ共通線Ｚｋの電位が第１電圧ＶＣＯＭＨの電位から中間電位に遷移すると共に、(ii)反転した極性信号ＰＯＬがラッチ信号ＬＡＴｋとして出力され、電位レベル信号ＶＯＵＴｋ−１が第２電圧ＶＣＯＭＬから第１電圧ＶＣＯＭＨに切り替わり、電位レベル信号ＶＯＵＴｋが第１電圧ＶＣＯＭＨから第２電圧ＶＣＯＭＬに切り替わる。その後、走査線Ｙｋ−２の走査信号がローレベルになった時点で、共通線Ｚｋ−１及びＺｋが電気的に切り離されることで、共通線Ｚｋ−１の電位が中間電位から第１電圧ＶＣＯＭＨの電位に遷移し且つ共通線Ｚｋの電位が中間電位から第２電圧ＶＣＯＭＬの電位に遷移する。
【００９７】
このように、本実施形態によれば、共通線Ｚ１からＺｎの電位を第１電圧ＶＣＯＭＨから第２電圧ＶＣＯＭＬへと又は第２電圧ＶＣＯＭＬから第１電圧ＶＣＯＭＨへと反転させるために、中間電位と第１電圧ＶＣＯＭＨの電位との電位差又は中間電位と第２電圧ＶＣＯＭＬの電位との電位差を与えることができる程度の相対的に小さな電力を消費すれば足りる。言い換えれば、第１電圧ＶＣＯＭＨの電位と第２電圧ＶＣＯＭＬの電位との電位差又は第２電圧ＶＣＯＭＬの電位と第１電圧ＶＣＯＭＨの電位との電位差を与える程度に相対的に大きな電力を消費する必要はない。このため、本実施形態によれば、第１電圧ＶＣＯＭＨの電位と第２電圧ＶＣＯＭＬの電位との電位差又は第２電圧ＶＣＯＭＬの電位と第１電圧ＶＣＯＭＨの電位との電位差をＶＣＯＭＨライン及びＶＣＯＭＬラインのみから与える必要がある構成（つまり、共通線Ｚｋ−１と共通線Ｚｋとを短絡しない構成）と比較して、共通線Ｚ１からＺｎに電位を書き込む動作に必要な消費電力の削減（例えば、概ね半分程度の削減）を図ることができる。
【００９８】
加えて、前段の行（具体的には、ｋ−２行）の走査信号がハイレベルになるタイミングで共通線Ｚｋ−１と共通線Ｚｋとを短絡させているため、実際に共通線Ｚｋ−１及び共通線Ｚｋに電気的に接続される共通電極１１を用いて液晶に電圧を印加する際（つまり、走査線Ｙｋ−１及びＹｋの走査信号がハイレベルになる際）には、共通電極１１の電位は、本来意図した電位となっている。言い換えれば、実際に共通線Ｚｋ−１及び共通線Ｚｋに電気的に接続される共通電極１１を用いて液晶に電圧を印加する前に、共通線Ｚｋ−１と共通線Ｚｋとを短絡させているため、通常の画像表示に対して特段の影響を与えることはない。
【００９９】
更に、相隣接する２つの共通線Ｚｋ−１及びＺｋの夫々に対して、１つのラッチ回路部１１１＃ｋ（更には、電圧選択回路部１１２＃ｋ及び短絡制御回路１１３＃ｋ）を設ければ足りるため、各共通線Ｚｋに１つのラッチ回路部１１１＃ｋを設ける必要がある構成と比較して、共通線駆動回路１１０の消費電力を更に削減することができる。加えて、共通線駆動回路１１０自体のサイズをも小さくすることができるため、額縁領域を狭くすることができる。
【０１００】
尚、上述の説明では、画素電極９ａと共通電極１１とがＴＦＴ基板１０上に設けられつつも夫々異なる層に設けられると共に、画素電極９ａと共通電極１１とが絶縁層１２を間に挟持し、液晶層５０側の画素電極９ａに開口部を有するＦＦＳ方式を採用する液晶装置１００について説明を進めているが、液晶層５０側に、開口部を有する共通電極１１を設けるように構成してもよい。また、画素電極９ａと共通電極１１とが同じ層に設けられるＩＰＳ方式を採用する液晶装置においても、上述した構成を採用することで、上述した各種効果を享受することができることは言うまでもない。また、横電界駆動方式を採用する液晶装置のみならず、例えばＴＮ（ツイスト・ネマティック）方式や、ＥＣＢ（複屈折電界効果）方式や、ＶＡ（垂直配向）方式等の縦電界駆動方式を採用する液晶装置においても、上述した構成を採用することで、上述した各種効果を相応に享受することができる。
【０１０１】
（４）変形例
続いて、図９及び図１０を参照して、本実施形態に係る液晶装置１００が備える共通線駆動回路の変形例（共通線駆動回路１２０）について説明する。ここに、図９は、変形例に係る共通線駆動回路１２０が備えるラッチ回路１２１の構成を概念的に示すブロック図であり、図１０は、変形例に係る共通線駆動回路１２０が備える短絡制御回路１２３の構成を概念的に示すブロック図である。尚、上述した共通線駆動回路１１０と同一の構成については、同一の参照符号を付して、その詳細な説明については省略する。
【０１０２】
図９に示すように、変形例に係るラッチ回路１２１は、１行目及び２行目の共通線Ｚ１及びＺ２に対応して設けられた第１ラッチ回路部１２１＃２と、３行目からｎ行目の共通線Ｚ３からＺｎに対応して設けられた第２ラッチ回路部１２１＃４から１２１＃ｎ（つまり、共通線Ｚｋ−１及びＺｋ（但し、ｋは、４≦ｋ≦ｎを満たす整数であり、典型的には偶数）に対応して設けられた第２ラッチ回路部１２１＃ｋ）とを含んでいる。
【０１０３】
第１ラッチ回路部１２１＃２は、上述した第１ラッチ回路部１１１＃２が備える構成に加えて、ＮＡＮＤ回路Ｕ１８、ＮＡＮＤ回路Ｕ１９及びＮＡＮＤ回路Ｕ２０を備えている。
【０１０４】
ＮＡＮＤ回路Ｕ１８の出力端子は、第１インバータＵ１２の入力端子、第１クロックドインバータＵ１４の非反転入力制御端子及び第２クロックドインバータＵ１５の反転入力端子の夫々に電気的に接続されている。ＮＡＮＤ回路Ｕ１８の２つの入力端子には、ＮＡＮＤ回路Ｕ１９の出力端子及びＮＡＮＤ回路Ｕ２０の出力端子が、夫々電気的に接続されている。ＮＡＮＤ回路Ｕ１９の２つの入力端子には、スキャン方向制御信号ＣＳＶを反転した信号である信号ＸＣＳＶ及び走査線Ｙ３に供給される走査信号が、夫々入力される。ＮＡＮＤ回路Ｕ２０の２つの入力端子には、高電位電源ＶＨＨから出力されるハイレベルの信号及びスキャン方向制御信号ＣＳＶが、夫々入力される。
【０１０５】
スキャン方向制御信号ＣＳＶは、スキャン方向が順方向である場合（具体的には、走査信号が、走査線Ｙ１からＹｎに向かって順に供給される場合）にハイレベルの信号となり、スキャン方向が逆方向である場合（具体的には、走査信号が、走査線ＹｎからＹ１に向かって順に供給される場合）にローレベルの信号となる。
【０１０６】
スキャン方向が順方向である場合には、ＮＡＮＤ回路Ｕ１９の出力は、常にハイレベルとなり、且つＮＡＮＤ回路Ｕ２０の出力は、高電位電源ＶＨＨから出力されるハイレベルの信号を反転させた信号（つまり、ローレベルの信号）となる。その結果、ＮＡＮＤ回路１８の出力は、高電位電源ＶＨＨから出力されるハイレベルの信号となる。
【０１０７】
他方、スキャン方向が逆方向である場合には、ＮＡＮＤ回路Ｕ１９の出力は、走査線Ｙ３に供給される走査信号を反転させた信号となり、且つＮＡＮＤ回路Ｕ２０の出力は、常にハイレベルの信号となる。その結果、ＮＡＮＤ回路１８の出力は、走査線Ｙ３に供給される走査信号となる。
【０１０８】
同様に、第２ラッチ回路部１２１＃ｋは、上述した第２ラッチ回路部１１１＃ｋが備える構成に加えて、ＮＡＮＤ回路Ｕ１８、ＮＡＮＤ回路Ｕ１９及びＮＡＮＤ回路Ｕ２０を備えている。
【０１０９】
ＮＡＮＤ回路Ｕ１８の出力端子は、第１インバータＵ１２、第１クロックドインバータＵ１４の非反転入力制御端子及び第２クロックドインバータＵ１５の反転入力端子の夫々の入力端子に電気的に接続されている。ＮＡＮＤ回路Ｕ１８の２つの入力端子には、ＮＡＮＤ回路Ｕ１９の出力端子及びＮＡＮＤ回路Ｕ２０の出力端子が、夫々電気的に接続されている。ＮＡＮＤ回路Ｕ１９の２つの入力端子には、スキャン方向制御信号ＣＳＶを反転した信号である信号ＸＣＳＶ及び走査線Ｙｋ＋１に供給される走査信号が、夫々入力される。ＮＡＮＤ回路Ｕ２０の２つの入力端子には、走査線Ｙｋ−２に供給される走査信号及びスキャン方向制御信号ＣＳＶが、夫々入力される。
【０１１０】
スキャン方向が順方向である場合には、ＮＡＮＤ回路Ｕ１９の出力は、常にハイレベルとなり、且つＮＡＮＤ回路Ｕ２０の出力は、走査線Ｙｋ−２に供給される走査信号を反転させた信号となる。その結果、ＮＡＮＤ回路１８の出力は、走査線Ｙｋ−２に供給される走査信号となる。
【０１１１】
他方、スキャン方向が逆方向である場合には、ＮＡＮＤ回路Ｕ１９の出力は、走査線Ｙｋ＋１に供給される走査信号を反転させた信号となり、且つＮＡＮＤ回路Ｕ２０の出力は、常にハイレベルの信号となる。その結果、ＮＡＮＤ回路１８の出力は、走査線Ｙｋ＋１に供給される走査信号となる。
【０１１２】
変形例に係るラッチ回路１２１は、以上のような構成を有するため、スキャン方向に対して前段の行の走査信号を各ラッチ回路部１２１＃ｋにおいて特定することができると共に、特定された走査信号がハイレベルになるタイミングで、極性信号ＰＯＬを取り込むことができる。従って、スキャン方向が順方向であろうが或いは逆方向であろうが、上述した動作を好適に行うことができ、その結果、上述した各種効果を好適に享受することができる。
【０１１３】
図１０に示すように、変形例に係る短絡制御回路１２３は、１行目及び２行目の共通線Ｚ１及びＺ２に対応して設けられた第１短絡制御回路部１２３＃２と、３行目からｎ行目の共通線Ｚ３からＺｎに対応して設けられた第２短絡制御回路部１２３＃４から１２３＃ｎ（つまり、共通線Ｚｋ−１及びＺｋ（但し、ｋは、４≦ｋ≦ｎを満たす整数であり、典型的には偶数）に対応して設けられた第２短絡制御回路部１２３＃ｋ）とを含んでいる。
【０１１４】
第１短絡制御回路部１２３＃２は、上述した第１短絡制御回路部１１３＃２が備える構成に加えて、ＮＡＮＤ回路Ｕ３８、ＮＡＮＤ回路Ｕ３９及びＮＡＮＤ回路Ｕ４０を備えている。
【０１１５】
ＮＡＮＤ回路Ｕ３８の出力端子は、ＴＦＴＵ３１の反転入力ゲート端子、ＴＦＴＵ３２の反転入力ゲート端子及びＴＦＴＵ３３の非反転入力ゲート端子の夫々に電気的に接続されている。ＮＡＮＤ回路Ｕ３８の２つの入力端子には、ＮＡＮＤ回路Ｕ３９の出力端子及びＮＡＮＤ回路Ｕ４０の出力端子が、夫々電気的に接続されている。ＮＡＮＤ回路Ｕ３９の２つの入力端子には、スキャン方向制御信号ＣＳＶを反転した信号である信号ＸＣＳＶ及び走査線Ｙ３に供給される走査信号が、夫々入力される。ＮＡＮＤ回路Ｕ４０の２つの入力端子には、走査線Ｙｎに供給される走査信号及びスキャン方向制御信号ＣＳＶが、夫々入力される。
【０１１６】
スキャン方向が順方向である場合には、ＮＡＮＤ回路Ｕ３９の出力は、常にハイレベルとなり、且つＮＡＮＤ回路Ｕ４０の出力は、走査線Ｙｎに供給される走査信号を反転させた信号となる。その結果、ＮＡＮＤ回路３８の出力は、走査線Ｙｎに供給される走査信号となる。
【０１１７】
他方、スキャン方向が逆方向である場合には、ＮＡＮＤ回路Ｕ３９の出力は、走査線Ｙ３に供給される走査信号を反転させた信号となり、且つＮＡＮＤ回路Ｕ４０の出力は、常にハイレベルの信号となる。その結果、ＮＡＮＤ回路３８の出力は、走査線Ｙ３に供給される走査信号となる。
【０１１８】
同様に、第２短絡制御回路部１２３＃ｋは、上述した第２短絡制御回路部１１３＃ｋが備える構成に加えて、ＮＡＮＤ回路Ｕ３８、ＮＡＮＤ回路Ｕ３９及びＮＡＮＤ回路Ｕ４０を備えている。
【０１１９】
ＮＡＮＤ回路Ｕ３８の出力端子は、ＴＦＴＵ３１の反転入力ゲート端子、ＴＦＴＵ３２の反転入力ゲート端子及びＴＦＴＵ３３の非反転入力ゲート端子の夫々に電気的に接続されている。ＮＡＮＤ回路Ｕ３８の２つの入力端子には、ＮＡＮＤ回路Ｕ３９の出力端子及びＮＡＮＤ回路Ｕ４０の出力端子が、夫々電気的に接続されている。ＮＡＮＤ回路Ｕ３９の２つの入力端子には、スキャン方向制御信号ＣＳＶを反転した信号である信号ＸＣＳＶ及び走査線Ｙｋ＋１に供給される走査信号が、夫々入力される。ＮＡＮＤ回路Ｕ４０の２つの入力端子には、走査線Ｙｋ−２に供給される走査信号及びスキャン方向制御信号ＣＳＶが、夫々入力される。
【０１２０】
スキャン方向が順方向である場合には、ＮＡＮＤ回路Ｕ３９の出力は、常にハイレベルとなり、且つＮＡＮＤ回路Ｕ４０の出力は、走査線Ｙｋ−２に供給される走査信号を反転させた信号となる。その結果、ＮＡＮＤ回路３８の出力は、走査線Ｙｋ−２に供給される走査信号となる。
【０１２１】
他方、スキャン方向が逆方向である場合には、ＮＡＮＤ回路Ｕ３９の出力は、走査線Ｙｋ＋１に供給される走査信号を反転させた信号となり、且つＮＡＮＤ回路Ｕ４０の出力は、常にハイレベルの信号となる。その結果、ＮＡＮＤ回路３８の出力は、走査線Ｙｋ＋１に供給される走査信号となる。
【０１２２】
変形例に係る短絡制御回路１２３は、以上のような構成を有するため、スキャン方向に対して前段の行の走査信号を各短絡制御回路部１２３＃ｋにおいて特定することができると共に、特定された走査信号がハイレベルになるタイミングで、相隣接する２つの共通線Ｚｋ−１とＺｋとを短絡させることができる。従って、スキャン方向が順方向であろうが或いは逆方向であろうが、上述した動作を好適に行うことができ、その結果、上述した各種効果を好適に享受することができる。
【０１２３】
尚、上述した第２ラッチ回路１２１＃ｋのうち、第２ラッチ回路１２１＃ｎについては（つまり、ｋ＝ｎとなる場合には）、ＮＡＮＤ回路Ｕ１９の入力端子には、走査線Ｙｋ＋１に供給される走査信号に代えて、高電位電源ＶＨＨから出力されるハイレベルの信号が入力されることが好ましい。また、上述した第２短絡制御回路１２３＃ｋのうち、第２短絡制御回路１２３＃ｎについては（つまり、ｋ＝ｎとなる場合には）、ＮＡＮＤ回路Ｕ１９の入力端子には、走査線Ｙｋ＋１に供給される走査信号に代えて、走査線Ｙ１に供給される走査信号が入力されることが好ましい。
【０１２４】
（５）電子機器
続いて、図１１及び図１２を参照しながら、上述の液晶装置１００を具備してなる電子機器の例を説明する。
【０１２５】
図１１は、上述した液晶装置１００が適用されたモバイル型のパーソナルコンピュータの斜視図である。図１１において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【０１２６】
次に、上述した液晶装置１００を携帯電話に適用した例について説明する。図１２は、電子機器の一例である携帯電話の斜視図である。図１２において、携帯電話１３００は、複数の操作ボタン１３０２とともに、半透過反射型の表示形式を採用し、且つ上述した液晶装置１と同様の構成を有する液晶装置１００５を備えている。
【０１２７】
これらの電子機器においても、上述した液晶装置１００を含んでいるため、上述した各種効果を好適に享受することができる。
【０１２８】
尚、図１１及び図１２を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【０１２９】
本発明は、上述した実施例に限られるものではなく、請求の範囲及び明細書全体から読み取れる発明の要旨或いは思想に反しない範囲で適宜変更可能であり、そのような変更を伴なう駆動装置、電気光学装置及び電子機器もまた本発明の技術的範囲に含まれるものである。
【図面の簡単な説明】
【０１３０】
【図１】実施形態に係る液晶装置の構成を示す平面図である。
【図２】図１のＨ−Ｈ’断面図である。
【図３】本実施形態に係る液晶装置の要部の電気的な構成を概念的に示すブロック図である。
【図４】共通線駆動回路の構成を概念的に示すブロック図である。
【図５】共通線駆動回路が備えるラッチ回路の構成を概念的に示すブロック図である。
【図６】共通線駆動回路が備える電圧選択回路の構成を概念的に示すブロック図である。
【図７】共通線駆動回路が備える短絡制御回路の構成を概念的に示すブロック図である。
【図８】共通線駆動回路の動作を示すタイミングチャートである。
【図９】変形例に係る共通線駆動回路が備えるラッチ回路の構成を概念的に示すブロック図である。
【図１０】変形例に係る共通線駆動回路が備える短絡制御回路の構成を概念的に示すブロック図である。
【図１１】液晶装置が適用されたモバイル型のパーソナルコンピュータの斜視図である。
【図１２】液晶装置が適用された携帯電話の斜視図である。
【符号の説明】
【０１３１】
１…液晶装置、１１…共通電極、１０１…データ線駆動回路、１０４…走査線駆動回路、１１０…共通線駆動回路、１１１…ラッチ回路、１１２…電圧選択回路、１１３…短絡制御回路、Ｙ１〜Ｙｎ…走査線、Ｚ１〜Ｚｎ…共通線
【図１】
2009134062.tif 000003
【図２】
2009134062.tif 000004
【図３】
2009134062.tif 000005
【図４】
2009134062.tif 000006
【図５】
2009134062.tif 000007
【図６】
2009134062.tif 000008
【図７】
2009134062.tif 000009
【図８】
2009134062.tif 000010
【図９】
2009134062.tif 000011
【図１０】
2009134062.tif 000012
【図１１】
2009134062.tif 000013
【図１２】
2009134062.tif 000014